(57)【要約】【課題】溶接ワイヤの汚れを除去可能なペールパックを提供する。【解決手段】溶接装置２００で使用される溶接ワイヤ１を収納するペールパック１００において、一端側が開口するように形成され、溶接ワイヤ１を収容可能な収容部１１０と、収容部１１０の開口を塞ぐように収容部１１０に設置されるカバー１２０と、溶接ワイヤ１を外部に引き出すためにカバー１２０に形成される引出口１２１と、カバー１２０内において、引出口１２１から引き出される溶接ワイヤ１の汚れを除去可能なブラシ部材１３０と、を備えることを特徴とする。【選択図】図２
2012192411.tif 000002
【特許請求の範囲】
【請求項１】
溶接装置で使用される溶接ワイヤを収納するペールパックにおいて、
一端側が開口するように形成され、前記溶接ワイヤを収容可能な収容部と、
前記収容部の開口を塞ぐように前記収容部に設置されるカバーと、
前記溶接ワイヤを外部に引き出すために前記カバーに形成される引出口と、
前記カバー内において、前記引出口から引き出される前記溶接ワイヤの汚れを除去可能なブラシ部材と、
を備えることを特徴とするペールパック。
【請求項２】
前記収容部は、外筒と、前記外筒内に同軸で配設される内筒と、を備え、前記内筒に巻き回された前記溶接ワイヤを前記外筒と前記内筒との間に収容することを特徴とする請求項１に記載のペールパック。
【請求項３】
前記ブラシ部材は、
環状のベース部と、
毛先が前記ベース部の中心に向かうように前記ベース部の内周面に設けられるブラシを有し、前記溶接用ワイヤが通過可能なブラシ部と、を備えることを特徴とする請求項１又は請求項２に記載のペールパック。
【請求項４】
前記ブラシ部材は、前記ベース部に一対設けられ、直線状となるように前記ベース部の径方向外側に向かって互いに異なる方向に延設される軸部をさらに備え、
前記カバーは、前記軸部を支持する支持部を備えることを特徴とする請求項３に記載のペールパック。
【請求項５】
前記支持部は、前記軸部が軸方向に移動可能でかつ軸心を中心に回動可能なように、
前記軸部を挿通させる孔であり、
前記軸部は、前記支持部を通じて外部に突出することを特徴とする請求項４に記載のペールパック。
【請求項６】
前記カバーは、透明部材として形成され、
前記ブラシは、白色部材として形成されることを特徴とする請求項３から請求項５のいずれか一つに記載のペールパック。
【請求項７】
前記外筒及び前記内筒は、上端が開口するように縦置きされ、
前記ブラシ部は、前記内筒の上端の開口部分と対応する位置に設けられ、
前記内筒の上端の開口部分には、前記ブラシ部によって除去される前記溶接ワイヤの汚れを収集可能な収集受皿が載置されることを特徴とする請求項３から請求項６のいずれか一つに記載のペールパック。
【発明の詳細な説明】
【技術分野】
【０００１】
本発明は、溶接装置で使用される溶接ワイヤを収容するペールパックに関するものである。
【背景技術】
【０００２】
特許文献１には、ペールパックから引き出された溶接ワイヤをワイヤ供給装置を介して溶接トーチに供給する溶接装置が開示されている。
【先行技術文献】
【特許文献】
【０００３】
【特許文献１】特開２００８−２７２８１６号公報
【発明の概要】
【発明が解決しようとする課題】
【０００４】
特許文献１に記載の溶接装置では、塵や埃、メッキかす等の微小な異物が付着した溶接ワイヤがペールパックから溶接トーチに供給されるおそれがあり、ワイヤ供給装置や溶接トーチのワイヤ挿通部等に異物が堆積しやすい。ワイヤ挿通部等に異物が堆積すると、溶接ワイヤ詰まりが発生して、溶接ワイヤを一定速度で溶接トーチに供給することができず、溶接トーチを介して溶接される溶接対象物の溶接ビードが不均一となってしまう。
【０００５】
したがって、上記のような溶接装置においては、ペールパックから引き出される溶接ワイヤの汚れを除去しておくことが望ましい。
【０００６】
本発明は、上記の問題点に鑑みてなされたものであり、溶接ワイヤの汚れを除去可能なペールパックを提供することを目的とする。
【課題を解決するための手段】
【０００７】
本発明は、溶接装置で使用される溶接ワイヤを収納するペールパックにおいて、一端側が開口するように形成され、前記溶接ワイヤを収容可能な収容部と、前記収容部の開口を塞ぐように前記収容部に設置されるカバーと、前記溶接ワイヤを外部に引き出すために前記カバーに形成される引出口と、前記カバー内において、前記引出口から引き出される前記溶接ワイヤの汚れを除去可能なブラシ部材と、を備えることを特徴とする。
【発明の効果】
【０００８】
本発明のペールパックによれば、溶接ワイヤがブラシ部材を通過する際に、ブラシ部材によって溶接ワイヤの外周面に付着した汚れをふき取るので、溶接ワイヤの汚れを除去することが可能となる。
【図面の簡単な説明】
【０００９】
【図１】本発明の実施形態によるペールパックを備える溶接装置の概略構成図である。
【図２】本発明の実施形態によるペールパックの縦断面図である。
【図３】（Ａ）及び（Ｂ）は、ペールパックに備えられるブラシ部材の平面図及び側面図である。
【発明を実施するための形態】
【００１０】
図面を参照して、本発明の実施形態によるペールパックについて説明する。
【００１１】
図１を参照して、本発明の実施形態によるペールパック１００を備える溶接装置２００の構成を説明する。図１は、溶接装置２００の概略構成図である。
【００１２】
溶接装置２００は、溶接対象物に対して全自動でアーク溶接を行う装置である。溶接装置２００は、溶接ワイヤ１を収容するペールパック１００と、ペールパック１００から引き出された溶接ワイヤ１の形状を矯正するワイヤ矯正部２１０と、溶接ワイヤ１を供給するワイヤ供給部２２０と、供給された溶接ワイヤ１を用いて溶接対象物を溶接する溶接トーチ２３０と、を備える。
【００１３】
溶接ワイヤ１は軟鉄によって形成されており、溶接ワイヤ１の表面は銅メッキ加工されている。
【００１４】
ペールパック１００は、円筒形状の容器である。ペールパック１００の内部には、溶接ワイヤ１が巻回状態で収納されている。ペールパック１００の詳細構成については、図２及び図３を参照して後述する。
【００１５】
ペールパック１００から引き出された溶接ワイヤ１は、ワイヤ矯正部２１０に導かれる。ワイヤ矯正部２１０は、ペールパック１００内に巻回状態で収納された溶接ワイヤ１の巻き癖を矯正する装置である。
【００１６】
ワイヤ矯正部２１０は、三つの矯正ローラ２１１〜２１３を備える。これら矯正ローラ２１１〜２１３は、ワイヤ供給方向に対してジグザグに配置される。溶接ワイヤ１は、三つの矯正ローラ２１１〜２１３を通過する際に直線状に矯正される。
【００１７】
ペールパック１００とワイヤ矯正部２１０との間には、コンジットチューブ２０１が配設されている。ペールパック１００から引き出された溶接ワイヤ１は、コンジットチューブ２０１内を通って、スムーズにワイヤ矯正部２１０まで導かれる。
【００１８】
コンジットチューブ２０１の上流端には、溶接ワイヤ１の存在を検出するワイヤ検出部２０２が設けられている。ワイヤ検出部２０２によって、ペールパック１００内の溶接ワイヤ１が全て使用されたか否かを検出することができる。
【００１９】
ワイヤ矯正部２１０よりもワイヤ供給方向の下流側には、ワイヤ供給部２２０が設けられる。ワイヤ供給部２２０は、上下一対のローラ２２１、２２２と、上下一対のローラ２２３、２２４と、をワイヤ供給方向に並べて構成されている。ワイヤ供給部２２０は、これらローラ２２１〜２２４を介して、溶接ワイヤ１を一定速度で溶接トーチ２３０に供給する。
【００２０】
なお、溶接ワイヤ１の供給速度は、溶接対象物における溶接状態等に応じて調整される。溶接ワイヤ１の供給速度の調整は、図示しない制御コントローラによって、ワイヤ供給部２２０のローラ２２１〜２２４の回転速度を調整することによって行われる。
【００２１】
溶接トーチ２３０は、ワイヤ供給部２２０により供給された溶接ワイヤ１を用いて、溶接対象物をアーク溶接する。
【００２２】
図２を参照して、本発明の実施形態によるペールパック１００の構成を説明する。図２は、ペールパック１００の縦断面図である。
【００２３】
ペールパック１００は、溶接ワイヤ１を収容する円筒形状の容器である。ペールパック１００は、上端が開口するように形成され、溶接ワイヤ１を収容可能な収容部１１０と、収容部１１０の上端の開口を塞ぐように収容部１１０に設置されるカバー１２０と、カバー１２０内において溶接ワイヤ１の汚れを除去するブラシ部材１３０と、を備える。
【００２４】
収容部１１０は、有底筒状の外筒１１１と、外筒１１１内に同軸で配設される両端開口の内筒１１２と、を備える。外筒１１１及び内筒１１２は縦置きされ、外筒１１１の上端及び内筒１１２の上端が開口する。溶接ワイヤ１は、内筒１１２に巻き回された状態で、外筒１１１と内筒１１２との間の空間に収容される。
【００２５】
カバー１２０は、円錐台状に形成された蓋部材である。カバー１２０の下端は、開口端として形成されている。カバー１２０は、その下端縁部が収容部１１０の外筒１１１の上端縁部に載置されるように、外筒１１１に設置される。このように、収容部１１０は、カバー１２０によって閉塞される。
【００２６】
なお、カバー１２０は、収容部１１０の内部を視認可能なように、樹脂によって透明部材として形成される。これにより、カバー１２０を取り外すことなく、収容部１１０に収容されている溶接ワイヤ１の残量等を目視で確認することができる。
【００２７】
カバー１２０の頂部である上端面には、ペールパック１００内の溶接ワイヤ１を外部に引き出すための引出口１２１が形成される。引出口１２１は、カバー１２０の上端面を上下方向に貫通する貫通孔である。引出口１２１は、収容部１１０の内筒１１２の上端開口と対応する位置に形成される。
【００２８】
カバー１２０には、溶接ワイヤ１に付着した塵や埃、メッキかす等の汚れを除去するためのブラシ部材１３０が取り付けられる。
【００２９】
図２、図３（Ａ）、及び図３（Ｂ）を参照して、ブラシ部材１３０の構成を説明する。図３（Ａ）はブラシ部材１３０の平面図であり、図３（Ｂ）はブラシ部材１３０の側面図である。
【００３０】
図２に示すように、ブラシ部材１３０は、ペールパック１００の軸方向において、引出口１２１寄りの位置に設けられる。
【００３１】
図２、図３（Ａ）、及び図３（Ｂ）に示すように、ブラシ部材１３０は、環状のベース部１３１と、ベース部１３１の内周面に設けられるブラシ部１３２と、ベース部１３１の外周面に設けられる一対の軸部１３３と、を備える。
【００３２】
ベース部１３１は、合金等によって環状に形成された部材である。
【００３３】
ブラシ部１３２は、毛先がベース部１３１の中心に向かうように、ベース部１３１の内周面に設けられたブラシ１３２Ａによって形成されている。ブラシ１３２Ａは、ベース部１３１の内周面に沿って複数設けられる。ブラシ１３２Ａは、ナイロン等の樹脂によって白色部材として形成される。ブラシ１３２Ａの長さは、ベース部１３１の半径と同じに設定されている。
【００３４】
このように、ベース部１３１とブラシ部１３２とによって、内巻きブラシが構成される。この内巻きブラシでは、ブラシ１３２Ａの毛先間で規定されるブラシ部１３２の内径は略ゼロとなる。
【００３５】
溶接ワイヤ１は、ブラシ１３２Ａの間を通って、ブラシ部１３２の略中心位置を上下方向に通過する。したがって、溶接ワイヤ１がブラシ部１３２を通過する際に、溶接ワイヤ１の汚れがブラシ１３２Ａによって拭き取られる。
【００３６】
軸部１３３は、棒状部材であり、ベース部１３１の外周面に一対設けられる。これら軸部１３３は、直線状となるようにベース部１３１の径方向外側に向かって、互いに異なる方向に延設される。
【００３７】
カバー１２０の傾斜側壁には、一対の支持孔１２２が形成される。これら支持孔１２２は、カバー１２０の軸心に対して線対称となる位置に設けられる。支持孔１２２はカバー１２０の傾斜側壁を水平に貫通する孔であり、ブラシ部材１３０の軸部１３３は支持孔１２２を挿通する。各軸部１３３が各支持孔１２２によって支持されることで、ブラシ部材１３０は、ベース部１３１及びブラシ部１３２がカバー１２０内に位置した状態で、カバー１２０に設置される。
【００３８】
支持孔１２２の孔径は軸部１３３の外径よりも大きく設定されており、軸部１３３は支持孔１２２を通じて外部に突出する。これにより、ブラシ部材１３０の軸部１３３は、支持孔１２２に対して、軸部１３３の軸方向に移動可能でかつ軸心を中心に回動可能となる。
【００３９】
なお、軸部１３３の端部寄りの位置には、軸部１３３が支持孔１２２から抜けることを防止するストッパ１３４が設けられる。
【００４０】
上記のように構成されるペールパック１００では、溶接トーチ２３０への溶接ワイヤ１の供給が開始され、溶接ワイヤ１がブラシ部材１３０のブラシ部１３２を通過すると、溶接ワイヤ１の外周面に付着した汚れがブラシ部１３２のブラシ１３２Ａによって取り除かれる。そのため、ペールパック１００から引き出された溶接ワイヤ１には塵や埃、メッキかす等がほとんど付着しておらず、異物付着の無い溶接ワイヤ１が溶接装置２００に提供される。
【００４１】
溶接ワイヤ１は、収容部１１０の内筒１１２に巻き回された状態で収容されているため、内筒１１２周りを旋回しながらペールパック１００内から外部に引き出される。ブラシ部材１３０の軸部１３３はカバー１２０の支持孔１２２に対して軸方向に移動可能でかつ軸心を中心に回動可能であるため、ブラシ部材１３０のブラシ部１３２は引き出し時の溶接ワイヤ１の動きに追従するように移動する。そのため、カバー１２０にブラシ部材１３０を設けても、ブラシ部材１３０によって溶接ワイヤ１の引き出しが阻害されることがない。
【００４２】
ブラシ部材１３０のブラシ部１３２は収容部１１０の内筒１１２の上端の開口部分に臨むように設けられ、内筒１１２の上端の開口部分にはブラシによって除去される溶接ワイヤ１の汚れを収集可能な収集受皿１４０が載置される。そのため、溶接ワイヤ１から除去された塵や埃、メッキかす等が収集受皿１４０内に堆積する。
【００４３】
また、収集受皿１４０の収集凹部１４１は内筒１１２内に位置しているので、内筒１１２の上端に収集受皿１４０を載置しても、溶接ワイヤ１が通過する経路と収集受皿１４０とが干渉することがない。
【００４４】
上記した本実施形態のペールパック１００によれば、以下の効果を得ることができる。
【００４５】
ペールパック１００のカバー１２０にはブラシ部１３２を有するブラシ部材１３０が取り付けられているので、溶接ワイヤ１がブラシ部１３２を通過する際に、溶接ワイヤ１の外周面に付着した汚れをブラシ１３２Ａによって除去することが可能となる。そのため、異物付着がほとんど無い溶接ワイヤ１を溶接装置２００に提供でき、ワイヤ供給部２２０や溶接トーチ２３０等のワイヤ挿通部における異物の堆積を防止できる。これにより、溶接装置２００での溶接ワイヤ詰まりの発生が抑制され、溶接トーチ２３０によって安定的に溶接することが可能となる。
【００４６】
ブラシ部材１３０の軸部１３３は軸方向に移動可能かつ軸心を中心に回動可能となるように支持孔１２２に支持されるので、ブラシ部材１３０のブラシ部１３２は引き出し時の溶接ワイヤ１の動きに応じて可動する。これにより、カバー１２０にブラシ部材１３０を設けても、ペールパック１００から溶接ワイヤ１を滑らかに引き出すことが可能となる。
【００４７】
ブラシ部１３２のブラシ１３２Ａは白色部材として形成され、ブラシ部材１３０のカバー１２０は透明部材として形成されるため、カバー１２０を取り外すことなく、ブラシ１３２Ａの汚れ具合を目視で確認することができる。これにより、適切な時期にブラシ部材１３０を交換することが可能となる。
【００４８】
ブラシ部材１３０のブラシ部１３２の下方に位置する内筒１１２の上端の開口部分には収集受皿１４０が載置されるので、溶接ワイヤ１から除去された塵や埃、メッキかす等の汚れを容易に収集することが可能となる。これにより、ペールパック１００内の清掃工数を低減できる。
【００４９】
本発明は上記の実施の形態に限定されずに、その技術的な思想の範囲内において種々の変更がなし得ることは明白である。
【００５０】
本実施形態のペールパック１００では、ベース部１３１とブラシ部１３２とによって内巻きブラシを構成したが、内巻きブラシの内径は溶接ワイヤ１の外径に応じて適宜調整される。内巻きブラシの内径の調整は、ブラシ部１３２のブラシ１３２Ａの長さを調整することで行われる。
【産業上の利用可能性】
【００５１】
本発明によるペールパックは、各種溶接を行う溶接装置で使用される溶接ワイヤを収容する容器に適用することができる。
【符号の説明】
【００５２】
１        溶接ワイヤ
１００    ペールパック
１１０    収容部
１１１    外筒
１１２    内筒
１２０    カバー
１２１    引出口
１２２    支持孔（支持部）
１３０    ブラシ部材
１３１    ベース部
１３２    ブラシ部
１３２Ａ  ブラシ
１３３    軸部
１３４    ストッパ
１４０    収集受皿
１４１    収集凹部
２００    溶接装置
２２０    ワイヤ供給部
２３０    溶接トーチ
【図１】
2012192411.tif 000003
【図２】
2012192411.tif 000004
【図３】
2012192411.tif 000005